(57)【要約】  【課題】  電子運転免許証発行完了時までの移行期間であっても、車両の使用を許可することができる車載装置制御システムを提供する。  【解決手段】  模擬情報が記憶された模擬カード２と、模擬カード２から受信した模擬情報によって車両に設けられた車載装置３を制御する車載制御装置４とを備え、模擬カード２は、模擬情報を記憶する模擬情報記憶手段８と、模擬情報記憶手段８の模擬情報を車載制御装置４に送信する模擬情報送信手段９とを有し、車載制御装置４は、送信された模擬情報を受信する模擬情報受信手段と、車両の使用者の個人情報を予め記憶する個人情報記憶手段と、受信した模擬情報が個人情報記憶手段に記憶された個人情報と一致するか否かを判定する模擬情報判定手段と、模擬情報が個人情報と一致すると判定された場合に、車両の使用を許可するよう車載装置３を制御する車載装置制御手段とを有する。【選択図】  図１
2005105699.tif 000002
【特許請求の範囲】
【請求項１】
模擬情報が記憶された記憶媒体と、前記記憶媒体から受信した模擬情報によって車両に設けられた車載装置を制御する車載制御装置とを備え、
前記記憶媒体は、模擬情報を記憶する模擬情報記憶手段と、前記模擬情報記憶手段に記憶されている模擬情報を車載制御装置に送信する模擬情報送信手段とを有し、
前記車載制御装置は、前記模擬情報送信手段によって送信された模擬情報を受信する模擬情報受信手段と、前記車両の使用者の個人情報を予め記憶する個人情報記憶手段と、前記模擬情報受信手段によって受信した模擬情報が前記個人情報記憶手段に記憶された個人情報と一致するか否かを判定する模擬情報判定手段と、前記模擬情報判定手段によって模擬情報が個人情報と一致すると判定された場合に、前記車両の使用を許可するよう前記車載装置を制御する車載装置制御手段とを有することを特徴とする車載装置制御システム。
【請求項２】
運転者情報を記憶する運転者情報記憶手段および前記運転者情報記憶手段に記憶されている運転者情報を前記車載制御装置に送信する運転者情報送信手段を有する電子運転免許証と、
前記電子運転免許証の電子運転免許証情報を記憶する電子運転免許証情報記憶手段および前記電子運転免許証情報を前記車載装置に送信する電子運転免許証情報送信手段を有する電子運転免許証情報管理装置とを備え、
前記車載制御装置は、前記電子運転免許証情報送信手段によって送信された電子運転免許証情報を受信する電子運転免許証情報受信手段と、前記個人情報記憶手段に記憶されている個人情報を前記電子運転免許証情報受信手段によって受信した電子運転免許証情報に書換える書換え手段と、前記運転者情報送信手段によって送信された運転者情報を受信する運転者情報受信手段と、前記運転者情報受信手段によって受信した運転者情報が前記個人情報記憶手段に記憶されている電子運転免許証情報と一致するか否かを判定する運転者情報判定手段と、前記運転者情報判定手段によって運転者情報が前記電子運転免許証情報と一致すると判定された場合に、前記車両の使用を許可するよう前記車載装置を制御する車載装置制御手段とを有することを特徴とする請求項１に記載の車載装置制御システム。
【請求項３】
模擬情報が記憶された記憶媒体から模擬情報を受信する模擬情報受信手段と、車両の使用者の個人情報を予め記憶する個人情報記憶手段と、前記模擬情報受信手段によって受信した模擬情報が前記個人情報記憶手段に記憶された個人情報と一致するか否かを判定する模擬情報判定手段と、前記模擬情報判定手段によって模擬情報が個人情報と一致すると判定された場合に、前記車両の使用を許可するよう前記車両に設けられた車載装置を制御する車載装置制御手段を有することを特徴とする車載制御装置。
【請求項４】
電子運転免許証の電子運転免許証情報が記憶された電子運転免許証情報管理装置から電子運転免許証情報を受信する電子運転免許証情報受信手段と、個人情報記憶手段に記憶されている個人情報を前記電子運転免許証情報受信手段によって受信した電子運転免許証情報に書換える書換え手段と、電子運転免許証から運転者情報を受信する運転者情報受信手段と、前記運転者情報受信手段によって受信した運転者情報が前記個人情報記憶手段に記憶されている電子運転免許証情報と一致するか否かを判定する運転者情報判定手段と、前記運転者情報判定手段によって運転者情報が前記電子運転免許証情報と一致すると判定された場合に、前記車両の使用を許可するよう前記車載装置を制御する車載装置制御手段を有することを特徴とする請求項３に記載の車載制御装置。
【発明の詳細な説明】
【技術分野】
【０００１】
本発明は、例えば電子運転免許証を用いてドアロック装置等の解錠する車載装置を制御する車載装置制御システムに関するものである。
【背景技術】
【０００２】
従来、電子運転免許証を構成するＩＣカードを利用して車両に設けられた車載装置を制御する車載装置制御システムとして、図６に示すように、例えば自動車のドアロック装置を制御する車両解錠システム３０がある。この車両解錠システム３０は、予めデータが記憶されたＩＣカード３１と、自動車のドアの把手の付近等に設置され、ＩＣカード３１に記憶されたデータを読み取るカードリーダ３２と、自動車の使用を許可する使用許可者のデータが予め記憶された記憶装置３３と、カードリーダ３２から読み取ったデータと記憶装置３３に記憶された使用許可者のデータとを照合して、データが一致した場合にドアロック操作部３４を制御する制御部３５から構成されている。このような従来の車両解錠システム３０は、カードリーダ３２によってＩＣカード３１から読み取ったデータと、記憶装置３３に記憶された使用許可者のデータとが一致した場合に限り、解錠を行うようドアロック装置を制御するようになっている（例えば特許文献１参照）。
【特許文献１】特開２００３−１２００９４号公報（第１図）
【発明の開示】
【発明が解決しようとする課題】
【０００３】
しかしながら、従来の車載装置制御システムにおいては、ドアロック装置の解錠等の際に電子運転免許証が利用可能であるため、電子運転免許証発行完了時までの移行期間において手元に電子運転免許証がないために、ドアロック装置の解錠等ができず車両の使用を許可することができないという問題があった。
【０００４】
本発明は、従来の問題を解決するためになされたもので、電子運転免許証発行完了時までの移行期間であっても、車両の使用を許可することができる車載装置制御システムを提供することを目的とする。
【課題を解決するための手段】
【０００５】
本発明の車載装置制御システムは、模擬情報が記憶された記憶媒体と、前記記憶媒体から受信した模擬情報によって車両に設けられた車載装置を制御する車載制御装置とを備え、前記記憶媒体は、模擬情報を記憶する模擬情報記憶手段と、前記模擬情報記憶手段に記憶されている模擬情報を車載制御装置に送信する模擬情報送信手段とを有し、前記車載制御装置は、前記模擬情報送信手段によって送信された模擬情報を受信する模擬情報受信手段と、前記車両の使用者の個人情報を予め記憶する個人情報記憶手段と、前記模擬情報受信手段によって受信した模擬情報が前記個人情報記憶手段に記憶された個人情報と一致するか否かを判定する模擬情報判定手段と、前記模擬情報判定手段によって模擬情報が個人情報と一致すると判定された場合に、前記車両の使用を許可するよう前記車載装置を制御する車載装置制御手段とを有するよう構成している。
【０００６】
この構成により、電子運転免許証発行完了時までの移行期間であっても模擬情報を記憶した記憶媒体によって、車両の使用を許可することができる。
【０００７】
また、本発明の車載装置制御システムは、運転者情報を記憶する運転者情報記憶手段および前記運転者情報記憶手段に記憶されている運転者情報を前記車載制御装置に送信する運転者情報送信手段を有する電子運転免許証と、前記電子運転免許証の電子運転免許証情報を記憶する電子運転免許証情報記憶手段および前記電子運転免許証情報を前記車載装置に送信する電子運転免許証情報送信手段を有する電子運転免許証情報管理装置とを備え、前記車載制御装置は、前記電子運転免許証情報送信手段によって送信された電子運転免許証情報を受信する電子運転免許証情報受信手段と、前記個人情報記憶手段に記憶されている個人情報を前記電子運転免許証情報受信手段によって受信した電子運転免許証情報に書換える書換え手段と、前記運転者情報送信手段によって送信された運転者情報を受信する運転者情報受信手段と、前記運転者情報受信手段によって受信した運転者情報が前記個人情報記憶手段に記憶されている電子運転免許証情報と一致するか否かを判定する運転者情報判定手段と、前記運転者情報判定手段によって運転者情報が前記電子運転免許証情報と一致すると判定された場合に、前記車両の使用を許可するよう前記車載装置を制御する車載装置制御手段とを有するよう構成している。
【０００８】
この構成により、電子運転免許証発行が完了した際、個人情報記憶手段に記憶されている個人情報を電子運転免許証情報に書換えることができるので、模擬情報が記憶された記憶媒体を無効にし、電子運転免許証によって車両の使用を許可することができる。
【０００９】
また、本発明の車載制御装置は、模擬情報が記憶された記憶媒体から模擬情報を受信する模擬情報受信手段と、車両の使用者の個人情報を予め記憶する個人情報記憶手段と、前記模擬情報受信手段によって受信した模擬情報が前記個人情報記憶手段に記憶された個人情報と一致するか否かを判定する模擬情報判定手段と、前記模擬情報判定手段によって模擬情報が個人情報と一致すると判定された場合に、前記車両の使用を許可するよう前記車両に設けられた車載装置を制御する車載装置制御手段を有するよう構成している。
【００１０】
この構成により、電子運転免許証発行完了時までの移行期間であっても模擬情報を記憶した記憶媒体によって、車両の使用を許可することができる。
【００１１】
また、本発明の車載制御装置は、電子運転免許証の電子運転免許証情報が記憶された電子運転免許証情報管理装置から電子運転免許証情報を受信する電子運転免許証情報受信手段と、個人情報記憶手段に記憶されている個人情報を前記電子運転免許証情報受信手段によって受信した電子運転免許証情報に書換える書換え手段と、電子運転免許証から運転者情報を受信する運転者情報受信手段と、前記運転者情報受信手段によって受信した運転者情報が前記個人情報記憶手段に記憶されている電子運転免許証情報と一致するか否かを判定する運転者情報判定手段と、前記運転者情報判定手段によって運転者情報が前記電子運転免許証情報と一致すると判定された場合に、前記車両の使用を許可するよう前記車載装置を制御する車載装置制御手段を有するよう構成している。
【００１２】
この構成により、電子運転免許証発行が完了した際、個人情報記憶手段に記憶されている個人情報を電子運転免許証情報に書換えることができるので、模擬情報が記憶された記憶媒体を無効にし、電子運転免許証によって車両の使用を許可することができる。
【発明の効果】
【００１３】
本発明は、電子運転免許証発行完了時までの移行期間であっても、電子運転免許証等を用いずに、模擬情報を記憶した記憶媒体によって、車両の使用を許可することができる。
【発明を実施するための最良の形態】
【００１４】
以下、本発明の実施の形態について、図面を用いて説明する。
【００１５】
本発明の第１の実施の形態の車載装置制御システムを図１に示す。
【００１６】
図１において、車載装置制御システム１は、模擬情報が記憶された模擬カード２と、模擬カード２から受信した模擬情報によって車両に設けられた車載装置３を制御する車載制御装置４と、運転者情報を記憶する電子運転免許証５と、電子運転免許証５の電子運転免許証情報を管理する電子運転免許証情報管理装置６と、模擬カード２に模擬情報を書き込むディーラ装置７を備えている。
【００１７】
模擬カード２は、模擬情報を記憶する模擬情報記憶手段８と、模擬情報記憶手段８に記憶されている模擬情報を車載制御装置４に送信する模擬情報送信手段９とを有している。また、模擬カード２は、非接触型ＩＣチップによって構成され、この模擬カード２に記憶された模擬情報には、電子運転免許証を示す情報とは異なる模擬カードを示す識別子が含まれており、後述する模擬情報判定手段２３は、模擬カードであることを認識できるようになっている。さらに、模擬情報には、車両を使用する使用者の氏名、生年月日、有効期限、免許証番号、顔写真が含まれる。なお、模擬情報には、模擬カードを示す識別子が含まれているが、この識別子に代えて模擬カード２の発行番号にしてもよい。
【００１８】
車載装置３は、車両に設けられた例えばドアロック装置、エンジンの始動を許可するエンジン始動許可装置を含んでいる。なお、車載装置３は、ドアロック装置、エンジン始動許可装置に限定されず、車両に設けられた装置をすべて含み、以下の説明においては、特に示した場合を除き車載装置３がドアロック装置である場合について説明する。
【００１９】
電子運転免許証５は、非接触型ＩＣチップによって構成され、運転者情報を記憶する運転者情報記憶手段１０と、運転者情報記憶手段１０に記憶されている運転者情報を車載制御装置４に送信する運転者情報送信手段１１とを有している。この電子運転免許証に記憶された運転者情報は、模擬情報に含まれる模擬カードを示す識別子とは異なる電子運転免許証を示す識別子が含まれており、後述する運転者情報判定手段２８は、この識別子によって電子運転免許証であることを認識できるようになっている。さらに、運転者情報は、氏名、生年月日、有効期限、免許証番号、顔写真が含まれる。なお、運転者情報には、電子運転免許証を示す識別子が含まれているが、この識別子に代えて電子運転免許証５の発行番号にしてもよい。
【００２０】
電子運転免許証情報管理装置６は、ハードディスク装置やフラッシュメモリ等の不揮発性の記憶媒体によって構成され電子運転免許証５の電子運転免許証情報を記憶する電子運転免許証情報記憶手段１２と、電子運転免許証情報を車載装置３に送信する電子運転免許証情報送信手段１３とを有している。電子運転免許証情報送信手段１３は、後述する電子運転免許証情報受信手段２５によって送信された模擬情報に基づいて、既に電子運転免許証が発行済みであるかを判定し、電子運転免許証が発行済みである場合には、電子運転免許証情報を電子運転免許証情報受信手段２５に送信するようになっており、一方、電子運転免許証が未発行である場合には、電子運転免許証が未発行である未発行情報を電子運転免許証情報受信手段２５に送信するようになっている。ここで、電子運転免許証情報には、氏名、生年月日、有効期限、免許証番号、顔写真が含まれ、さらに電子運転免許証を示す識別子を含んでいる。なお、この電子運転免許証を示す識別子に代えて電子運転免許証の発行番号であってもよい。
【００２１】
ディーラ装置７は、ディーラに設置され、車両を使用する使用者の紙面版運転免許証の情報（氏名、生年月日、有効期限、免許証番号、顔写真等）を読込む読込み手段１５（例えばスキャナとＯＣＲによる組合せ、またはキー入力装置によって構成できる）や読込んだ情報および模擬カードを示す識別子を含む模擬情報を模擬カード２に書き込む模擬情報書込み手段１４を有している。また、模擬情報書込み手段１４は、後述する個人情報記憶手段２２に模擬カード２に書込まれた模擬情報と同じ情報、すなわち氏名、生年月日、有効期限、免許証番号、顔写真等や模擬カードを示す識別子を含む個人情報を書込むようになっている。なお、模擬カードを示す識別子に代えて模擬カードの発行番号であってもよい。
【００２２】
車載制御装置４は、図２に示すように、模擬情報送信手段９によって送信された模擬情報を受信する模擬情報受信手段２１と、ハードディスク装置やフラッシュメモリ等の不揮発性の記憶媒体によって構成され車両の使用者の個人情報を予め記憶する個人情報記憶手段２２と、模擬情報受信手段２１によって受信した模擬情報が個人情報記憶手段２２に記憶された個人情報と一致するか否かを判定する模擬情報判定手段２３と、模擬情報判定手段２３によって模擬情報が個人情報と一致すると判定された場合に、車両の使用を許可するよう車載装置３を制御する車載装置制御手段２４とを有している。
【００２３】
車載制御装置４は、電子運転免許証情報送信手段１３によって送信された電子運転免許証情報を受信する電子運転免許証情報受信手段２５と、個人情報記憶手段２２に記憶されている個人情報を電子運転免許証情報受信手段２５によって受信した電子運転免許証情報に書換える書換え手段２６と、運転者情報送信手段１１によって送信された運転者情報を受信する運転者情報受信手段２７と、運転者情報受信手段２７によって受信した運転者情報が個人情報記憶手段２２に記憶されている電子運転免許証情報と一致するか否かを判定する運転者情報判定手段２８と、運転者情報判定手段２８によって運転者情報が電子運転免許証情報と一致すると判定された場合に、車両の使用を許可するよう車載装置３を制御する車載装置制御手段２４とを有している。
【００２４】
電子運転免許証情報受信手段２５は、無線通信するためのアンテナや変調器や復調器等によって構成され、道路等に設置された路側機と無線通信を行うことによって電子運転免許証情報管理装置６と通信を行うようになっている。なお、路側機と電子運転免許証情報管理装置６とは、インターネット網などのネットワークを経由して通信を行うようにしてもよい。
【００２５】
模擬情報受信手段２１および運転者情報受信手段２７は、リーダ装置によって構成され、模擬カード２および電子運転免許証５に駆動電力を供給するよう電磁波を送信し、送信された電磁波によって駆動された模擬カード２および電子運転免許証５は、記録された模擬情報および運転者情報をリーダ装置に向けて送信するようになっている。
【００２６】
以上のように構成された車載装置制御システムについて、図３、４を用いてその動作を説明する。
【００２７】
まず、図３に示すように、リーダ装置によって読み取ったものが模擬カード２であるか否かが模擬情報判定手段２３および運転者情報判定手段２８によって判定され（Ｓ１）、模擬カード２であると判定された場合には、模擬情報が認証される（Ｓ２）。模擬情報が個人情報記憶手段２２に記憶された個人情報と一致するか否かが模擬情報判定手段２３によって判定され（Ｓ３）、一致すると判定された場合には、電子運転免許証情報受信手段２５によって電子運転免許証情報管理装置６に発行済みであるか否かの問い合わせ（Ｓ４）、一方、一致しないと判定された場合には、ドアロック装置の解錠が拒否される（Ｓ１０）。電子運転免許証情報受信手段２５によって電子運転免許証情報が受信されたか否か、すなわち発行済みであるか否かが電子運転免許証情報受信手段２５によって判定され、（Ｓ５）、発行済みであると判定された場合には、書換え手段２６によって個人情報が電子運転免許証情報に書換えられ（Ｓ６）、一方、未発行であると判定された場合には、ドアロック装置の解錠が行われる（Ｓ９）。一方、リーダ装置によって読み取ったものが電子運転免許証５であると判定された場合には、運転者情報が認証され（Ｓ７）、運転者情報が個人情報記憶手段２２に記憶された個人情報と一致するか否かが運転者情報判定手段２８によって判定され（Ｓ８）、一致すると判定された場合には、ドアロック装置を解錠し、（Ｓ９）一方、一致しないと判定された場合には、ドアロック装置の解錠が拒否される（Ｓ１０）。
【００２８】
なお、車載装置３がドアロック装置である場合について説明したが、車載装置３がエンジン始動装置である場合には、図４に示すような動作となる。ここで、図３で説明し動作説明図における処理と異なる処理について異なる符号を付しており、解錠および解錠拒否がそれぞれエンジン始動許可およびエンジン始動拒否に対応している。したがって、詳細な説明を省略する。
【００２９】
次に、車載装置制御システムの電子運転免許証情報管理装置について、図５を用いてその動作を説明する。
【００３０】
まず、電子運転免許証情報管理装置では、電子運転免許証情報受信手段２５によって送信された模擬情報が電子運転免許証情報送信手段１３によって受信され（Ｓ１３）、模擬情報に対応する電子運転免許証が発行済みであるか否かが判定され（Ｓ１４）。電子運転免許証が発行済みであると判定された場合には、電子運転免許証情報が電子運転免許証情報送信手段１３によって送信され（Ｓ１５）、一方電子運転免許証が未発行であると判定された場合には、未発行情報が電子運転免許証情報送信手段１３によって送信される（Ｓ１６）。
【００３１】
なお、以上説明した車載装置制御システム１を構成する各構成要素は、上記で説明した各動作を記述したプログラムを中央処理装置（Central Processing Unit、以下単に「ＣＰＵ」という。）に実行させるようにしてもよい。すなわち、車載制御装置４において、模擬情報判定手段２３、車載装置制御手段２４、書換え手段２６および運転者情報判定手段２８は、上記プログラムを実行するＣＰＵによって構成するようにしてもよい。また、電子運転免許証情報管理装置６において、電子運転免許証情報送信手段１３は、上記プログラムを実行するＣＰＵによって構成するようにしてもよい。
【００３２】
このような本発明の一実施の形態の車載装置制御システム１および車載制御装置４によれば、電子運転免許証発行完了時までの移行期間であっても、電子運転免許証等を用いずに、模擬カード２によって車両の使用を許可することができる。さらに、電子運転免許証発行後にユーザ等による模擬情報の削除や電子運転免許証の登録が不要となり、利便性を向上させるばかりか即座に認証に反映することができる。
【００３３】
なお、本発明において模擬情報および運転者情報は、氏名、生年月日、有効期限、免許証番号、顔写真が含まれることとしたが、模擬情報および運転者情報はこれら情報のうち少なくとも１つ以上の情報としてもよく、またこれら以外の識別可能な情報を含めてもよい。
【産業上の利用可能性】
【００３４】
以上のように、本発明にかかる車載装置制御システムは、電子運転免許証発行完了時までの移行期間であっても、電子運転免許証等を用いずに、模擬情報を記憶した記憶媒体によって、車両の使用を許可することができるという効果を有し、電子運転免許証を用いてドアロック装置等の解錠する車載装置を制御する車載装置制御システム等として有用である。
【図面の簡単な説明】
【００３５】
【図１】本発明の第１の実施の形態における車載装置制御システムのブロック図
【図２】本発明の第１の実施の形態における車載制御装置のブロック図
【図３】本発明の第１の実施の形態における車載制御装置の動作説明のためのフロー図
【図４】本発明の第１の実施の形態における車載制御装置の動作説明のためのフロー図
【図５】本発明の第１の実施の形態における車載装置制御システムの車載装置にエンジン始動許可装置を適用した場合の動作説明のためのフロー図
【図６】従来の車載装置制御システムのブロック図
【符号の説明】
【００３６】
１  車載装置制御システム
２  模擬カード
３  車載装置
４  車載制御装置
５  電子運転免許証
６  電子運転免許証情報管理装置
７  ディーラ装置
８  模擬情報記憶手段
９  模擬情報送信手段
１０  運転者情報記憶手段
１１  運転者情報送信手段
１２  電子運転免許証情報記憶手段
１３  電子運転免許証情報送信手段
１４  模擬情報書込み手段
１５  読込み手段
２１  模擬情報受信手段
２２  個人情報記憶手段
２３  模擬情報判定手段
２４  車載装置制御手段
２５  電子運転免許証情報受信手段
２６  書換え手段
２７  運転者情報受信手段
２８  運転者情報判定手段
【図１】
2005105699.tif 000003
【図２】
2005105699.tif 000004
【図３】
2005105699.tif 000005
【図４】
2005105699.tif 000006
【図５】
2005105699.tif 000007
【図６】
2005105699.tif 000008